【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
入力画像に対して所定の方向に加重平均処理をした平均画像を生成する平均画像生成手段と、
前記方向とは異なる方向に、前記平均画像を複数の周波数成分の画像に分解する分解手段と、
前記周波数成分の画像にフィルター処理をして、前記周波数成分の画像に含まれるライン状ノイズを低減する低減手段と、
前記ライン状ノイズが低減された周波数成分の画像を再構成する再構成手段と、
前記平均画像から前記再構成された画像を差し引き、前記所定の方向に沿ったライン状ノイズ画像を抽出する抽出手段と、
前記ライン状ノイズ画像に基づいて前記入力画像のライン状ノイズを低減したノイズ低減後画像を生成するノイズ低減後画像生成手段と、
を有することを特徴とする情報処理装置。
【請求項２】
入力画像を所定の方向に複数の周波数成分の画像に分解する分解手段と、
前記周波数成分の画像に対して、前記方向とは異なる方向に加重平均処理をした平均画像を生成する平均画像生成手段と、
前記平均画像にフィルター処理をして、前記異なる方向に沿ったライン状ノイズ画像を抽出する抽出手段と、
前記ライン状ノイズ画像に基づいて前記周波数成分の画像のライン状ノイズを低減したノイズ低減後画像を生成するノイズ低減後画像生成手段と、
前記ノイズ低減後画像を再構成する再構成手段と、
を有することを特徴とする情報処理装置。
【請求項３】
前記フィルター処理は、画像の画素値に依存してフィルター係数が変化する非線形フィルターを用いて行なわれることを特徴とする請求項１または２に記載の情報処理装置。
【請求項４】
前記フィルター処理では、画素値の差分に応じてフィルター係数が変化し、前記フィルター係数の変化量は前記分解のレベルに応じて可変であることを特徴とする請求項１乃至３のいずれか１項に記載の情報処理装置。
【請求項５】
前記フィルター処理は、εフィルター、分散フィルター、ＭＴＭフィルター、バイラテラルフィルターのいずれかをハイパスフィルターとして用いて行なわれることを特徴とする請求項１乃至４のいずれか１項に記載の情報処理装置。
【請求項６】
前記平均画像生成手段は、前記加重平均処理により前記入力画像を縮小した画像を生成することを特徴とする請求項１に記載の情報処理装置。
【請求項７】
前記平均画像生成手段は、前記周波数成分の画像のそれぞれに対して縮小率を可変に設定し、前記周波数成分の画像を縮小した画像を生成することを特徴とする請求項２に記載の情報処理装置。
【請求項８】
画像を複数の周波数成分の画像に分解する分解手段と、
前記周波数成分の画像に含まれるライン状ノイズを低減する低減手段と、
前記ライン状ノイズが低減された周波数成分の画像を再構成する再構成手段と、
を有することを特徴とする情報処理装置。
【請求項９】
入力画像に対して所定の方向に加重平均処理をした画像を生成する生成手段を更に備え、
前記分解手段は、前記加重平均処理をした画像を周波数分解することを特徴とする請求項８に記載の情報処理装置。
【請求項１０】
前記分解手段は、入力画像を所定の方向に複数の周波数成分の画像に分解することを特徴とする請求項８または９に記載の情報処理装置。
【請求項１１】
前記所定の方向は前記加重平均処理の加算方向と異なることを特徴とする請求項９に記載の情報処理装置。
【請求項１２】
前記加重平均処理された画像と前記再構成された画像に基づき前記入力画像から前記ライン状ノイズを差し引いた画像を生成する第２の生成手段を更に有することを特徴とする請求項９に記載の情報処理装置。
【請求項１３】
前記加重平均処理された画像から前記再構成された画像を差し引き、前記所定の方向に沿ったライン状ノイズを抽出する抽出手段と、
前記入力画像から前記ライン状ノイズを差し引いた差分画像を生成する差分画像生成手段と、を更に有することを特徴とする請求項１２に記載の情報処理装置。
【請求項１４】
入力画像を所定の方向に複数の周波数成分の画像に分解する分解手段と、
前記周波数成分の画像に対して、前記方向とは異なる方向に加重平均処理をした画像を生成する生成手段と、
前記加重平均処理された画像にフィルター処理をして、前記異なる方向に沿ったライン状ノイズを抽出する抽出手段と、
前記周波数成分の画像から前記ライン状ノイズを差し引いた差分画像を生成する差分画像生成手段と、
前記差分画像を再構成する再構成手段と、
を有することを特徴とする情報処理装置。
【請求項１５】
前記フィルター処理は、画像の画素値に依存してフィルター係数が変化する非線形フィルターを用いて行なわれることを特徴とする請求項１４に記載の情報処理装置。
【請求項１６】
前記フィルター処理では、画素値の差分に応じてフィルター係数が変化し、前記フィルター係数の変化量は前記分解のレベルに応じて可変であることを特徴とする請求項１４に記載の情報処理装置。
【請求項１７】
前記フィルター処理は、εフィルター、分散フィルター、ＭＴＭフィルター、バイラテラルフィルターのいずれかをハイパスフィルターとして用いて行なわれることを特徴とする請求項１４乃至１６のいずれか１項に記載の情報処理装置。
【請求項１８】
前記生成手段は、前記加重平均処理により前記入力画像を縮小した画像を生成することを特徴とする請求項９に記載の情報処理装置。
【請求項１９】
前記生成手段は、前記周波数成分の画像のそれぞれに対して縮小率を可変に設定し、前記周波数成分の画像を縮小した画像を生成することを特徴とする請求項１４に記載の情報処理装置。
【請求項２０】
情報処理装置で実行されるライン状ノイズを低減する情報処理方法であって、
平均画像生成手段が、入力画像に対して所定の方向に加重平均処理をした平均画像を生成する平均画像生成工程と、
分解手段が、前記方向とは異なる方向に、前記平均画像を複数の周波数成分の画像に分解する分解工程と、
低減手段が、前記周波数成分の画像にフィルター処理をして、前記周波数成分の画像に含まれるライン状ノイズを低減する低減工程と、
再構成手段が、前記ライン状ノイズが低減された周波数成分の画像を再構成する再構成工程と、
抽出手段が、前記平均画像から前記再構成された画像を差し引き、前記所定の方向に沿ったライン状ノイズ画像を抽出する抽出工程と、
ノイズ低減後画像生成手段が、前記ライン状ノイズ画像に基づいて前記入力画像のライン状ノイズを低減したノイズ低減後画像を生成するノイズ低減後画像生成工程と、
を有することを特徴とする情報処理方法。  
【請求項２１】
情報処理装置で実行されるライン状ノイズを低減する情報処理方法であって、
分解手段が、入力画像を所定の方向に複数の周波数成分の画像に分解する分解工程と、
平均画像生成手段が、前記周波数成分の画像に対して、前記方向とは異なる方向に加重平均処理をした平均画像を生成する平均画像生成工程と、
抽出手段が、前記平均画像にフィルター処理をして、前記異なる方向に沿ったライン状ノイズ画像を抽出する抽出工程と、
ノイズ低減後画像生成手段が、前記ライン状ノイズ画像に基づいて前記周波数成分の画像のライン状ノイズを低減したノイズ低減後画像を生成するノイズ低減後画像生成工程と、
再構成手段が、前記ノイズ低減後画像を再構成する再構成工程と、
を有することを特徴とする情報処理方法。
【請求項２２】
情報処理装置で実行されるライン状ノイズを低減する情報処理方法であって、
生成手段が、入力画像に対して所定の方向に加重平均処理をした画像を生成する生成工程と、
分解手段が、前記方向とは異なる方向に、前記加重平均処理された画像を複数の周波数成分の画像に分解する分解工程と、
低減手段が、前記周波数成分の画像にフィルター処理をして、前記周波数成分の画像に含まれるライン状ノイズを低減する低減工程と、
再構成手段が、前記ライン状ノイズが低減された周波数成分の画像を再構成する再構成工程と、
抽出手段が、前記加重平均処理された画像から前記再構成された画像を差し引き、前記所定の方向に沿ったライン状ノイズを抽出する抽出工程と、
差分画像生成手段が、前記入力画像から前記ライン状ノイズを差し引いた差分画像を生成する差分画像生成工程と、
を有することを特徴とする情報処理方法。
【請求項２３】
情報処理装置で実行されるライン状ノイズを低減する情報処理方法であって、
分解手段が、入力画像を所定の方向に複数の周波数成分の画像に分解する分解工程と、
生成手段が、前記周波数成分の画像に対して、前記方向とは異なる方向に加重平均処理をした画像を生成する生成工程と、
抽出手段が、前記加重平均処理された画像にフィルター処理をして、前記異なる方向に沿ったライン状ノイズを抽出する抽出工程と、
差分画像生成手段が、前記周波数成分の画像から前記ライン状ノイズを差し引いた差分画像を生成する差分画像生成工程と、
再構成手段が、前記差分画像を再構成する再構成工程と、
を有することを特徴とする情報処理方法。
【請求項２４】
コンピュータを、請求項１乃至１９のいずれか１項に記載の情報処理装置の各手段として機能させるためのプログラム。